(57)【特許請求の範囲】
【請求項１】
ユーザ操作に応じて入力された文字列に対応する第１辞書の見出し語の説明情報を取得して表示部の第１領域に表示させる第１辞書情報表示制御手段と、
前記第１領域に表示された説明情報中の各単語に対応する第２辞書の各見出し語を取得して前記表示部の第２領域に一覧表示させる第２見出し語一覧表示制御手段と、
前記第２見出し語一覧表示制御手段に表示された前記第２辞書の見出し語のうちいずれかの見出し語を指定見出し語として指定し、前記指定見出し語の前記第２辞書の説明情報を取得して前記表示部の第３領域に表示させる第２辞書情報表示制御手段と、
を備える情報表示制御装置。
【請求項２】
ユーザ操作により前記第１領域に表示された説明情報中のいずれかの単語を指定すると、前記第２領域に一覧表示された見出し語のうち、前記指定された単語に対応する見出し語が指定見出し語として指定されることを特徴とする、
請求項１に記載の情報表示制御装置。
【請求項３】
ユーザ操作により前記第２領域に一覧表示された見出し語のうちいずれかの見出し語を指定見出し語として指定すると、前記表示部の第１領域に表示された説明情報中の前記見出し語に対応する単語が識別表示されることを特徴とする、
請求項１に記載の情報表示制御装置。
【請求項４】
前記入力された文字列に対応する前記第１辞書の前記見出し語の候補を前記表示部の第４領域に一覧表示させる第１見出し語一覧表示制御手段
を更に備える請求項１に記載の情報表示制御装置。
【請求項５】
コンピュータに対して、
ユーザ操作に応じて入力された文字列に対応する第１辞書の見出し語の説明情報を取得して表示部の第１領域に表示させる第１辞書情報表示制御機能と、
前記第１領域に表示された説明情報中の各単語に対応する第２辞書の各見出し語を取得して前記表示部の第２領域に表示させる第２見出し語一覧表示制御機能と、
前記第２見出し語一覧表示制御機能に表示された前記第２辞書の見出し語のうちいずれかの見出し語を指定見出し語として指定し、前記指定見出し語の前記第２辞書の説明情報を取得して前記表示部の第３領域に表示させる第２辞書情報表示制御機能と、
を実現させるプログラム。
【発明の詳細な説明】
【技術分野】
【０００１】
本発明は、辞書データベースにおける任意の見出し語に対応する説明情報を検索して表示するための情報表示制御装置及びプログラムに関する。
【背景技術】
【０００２】
例えば、特許文献１は、同じ見出し語についてメイン辞書とサブ辞書で検索し、説明情報を同じ内容ごとに合わせて表示する電子辞書装置を開示する。
【先行技術文献】
【特許文献】
【０００３】
【特許文献１】特開２００６−１０６８６９号公報
【発明の概要】
【発明が解決しようとする課題】
【０００４】
このような電子辞書装置においては、メイン辞書の検索によって取得された説明情報に意味の分からない語句があった場合、そのような語句のそれぞれをユーザが入力したり、所定の操作を行ったりすることによって追加的に検索する必要があり、手間である。
【０００５】
本発明は、上記のような課題にかんがみてなされたものであり、メイン辞書の検索結果に意味が分からない語句があった場合でも、その語句をサブ辞書によって簡易に調べることができる情報表示制御装置及びプログラムを提供することを目的とする。
【課題を解決するための手段】
【０００６】
本発明の情報表示制御装置は、ユーザ操作に応じて入力された文字列に対応する第１辞書の見出し語の説明情報を取得して表示部の第１領域に表示させる第１辞書情報表示制御手段と、前記第１領域に表示された説明情報中の各単語に対応する第２辞書の各見出し語を取得して前記表示部の第２領域に一覧表示させる第２見出し語一覧表示制御手段と、前記第２見出し語一覧表示制御手段に表示された前記第２辞書の見出し語のうちいずれかの見出し語を指定見出し語として指定し、前記指定見出し語の前記第２辞書の説明情報を取得して前記表示部の第３領域に表示させる第２辞書情報表示制御手段と、を備える。
【０００７】
本発明のプログラムは、コンピュータに対して、ユーザ操作に応じて入力された文字列に対応する第１辞書の見出し語の説明情報を取得して表示部の第１領域に表示させる第１辞書情報表示制御機能と、前記第１領域に表示された説明情報中の各単語に対応する第２辞書の各見出し語を取得して前記表示部の第２領域に表示させる第２見出し語一覧表示制御機能と、前記第２見出し語一覧表示制御機能に表示された前記第２辞書の見出し語のうちいずれかの見出し語を指定見出し語として指定し、前記指定見出し語の前記第２辞書の説明情報を取得して前記表示部の第３領域に表示させる第２辞書情報表示制御機能と、を実現させる。
【発明の効果】
【０００８】
本発明によれば、メイン辞書の検索結果に意味が分からない語句があった場合でも、その語句をサブ辞書によって簡易に調べることができる情報表示制御装置及びプログラムを提供することができる。
【図面の簡単な説明】
【０００９】
【図１】本発明の実施形態に係る情報表示制御装置が適用された電子辞書の外部構成を示す図である。
【図２】本発明の実施形態に係る情報表示制御装置が適用された電子辞書の内部構成を示すブロック図である。
【図３】本発明の実施形態において、メイン辞書である英英辞典に対してサブ辞書が設定される設定画面を示す図である。
【図４】本発明の実施形態において、見出し語検索が行われる検索画面を示す図である。
【図５】本発明の実施形態において、メイン辞書における見出し語検索の結果と、その結果に対するサブ辞書の検索結果と、を含む表示画面を示す図である。
【図６】本発明の実施形態において、メイン辞書の検索結果における見出し語が変更されたときの画面表示の変化を示す図である。
【図７】本発明の実施形態において、メイン辞書の検索結果における説明情報に含まれる単語の指定が変更されたときの画面表示の変化を示す図である。
【図８】本発明の実施形態において、サブ辞書の検索結果における見出し語が変更されたときの画面表示を示す図である。
【図９】本発明の実施形態において、サブ辞書の検索結果における見出し語の次の候補が表示されたときの画面表示を示す図である。
【図１０】本発明の実施形態における情報表示処理の手順を示すフローチャートである。
【発明を実施するための形態】
【００１０】
以下、添付図面を参照して、本発明を実施するための形態（以下、実施形態という）について詳細に説明する。ここでは、本発明に係る情報表示制御装置を電子辞書に適用した事例について詳細に説明することとする。もっとも、本発明は、電子辞書以外の電子機器、例えば、電子辞書機能を備えたパーソナルコンピュータ、タブレット端末、携帯電話、スマートフォン、携帯情報端末（ＰＤＡ）に適用されてもよい。なお、図面においては、実施形態の説明の全体を通して同じ要素には同じ番号又は符号を付している。
【００１１】
＜電子辞書の外部構成＞
図１を参照して、電子辞書１の外部構成を説明する。図１は、本発明の実施形態に係る情報表示制御装置が適用された電子辞書の外部構成を示す図である。図１に示すように、電子辞書１は、表示画面３０とキー入力部４０とを備えている。
【００１２】
表示画面３０は、表示部の一例であって、ユーザによる操作に応じて各種データを表示する。表示画面３０は、例えばＬＣＤ（Liquid Crystal Display）やＥＬＤ（Electronic Luminescence Display）等によって構成されている。本実施の形態における表示画面３０は、タッチパネルを含んで構成されており、ペン３６やユーザのタッチによる入力を受け付ける。なお、表示画面３０の具体的な表示内容については、追って述べる。
【００１３】
キー入力部４０のキー群は、ユーザが電子辞書１を操作するためのインターフェイスであって、各種キーを有している。具体的には、キー群は、メニューキー、辞書選択キー、文字「Ａ」〜「Ｚ」キー、カーソルキー４２〜４５、シフトキー４６、ページ送りキー４７，４８、「訳／決定」キー（「訳／決定」ボタン４１）を含む。ここで、「訳／決定」ボタン４１は、検索の実行や、見出し語の決定等に使用される。また、辞書選択キーは、辞書データベースの選択に使用される。
【００１４】
＜電子辞書の内部構成＞
続いて、図２を参照して電子辞書１の内部構成について説明する。図２は、電子辞書１の内部構成を示すブロック図である。この図に示すように、電子辞書１は、ＣＰＵ１０、メモリ２０、表示画面３０、キー入力部４０、及び記録媒体読取部５０を備え、これら機能部はバス６０を介して相互に通信可能に接続されている。
【００１５】
ＣＰＵ１０は、使用者から入力される指示に応じて所定のプログラムに基づいた処理を実行し、各機能部への指示やデータの転送等を行い、電子辞書１を統括的に制御する。具体的には、ＣＰＵ１０は、キー入力部４０及び表示画面３０へのタッチを介して入力される操作信号に応じてメモリ２０に格納された各種プログラムを読み出し、当該プログラムに従って処理を実行する。そして、ＣＰＵ１０は、処理結果をメモリ２０に保存するとともに、当該処理結果を表示画面３０に表示させる。
【００１６】
かかるＣＰＵ１０は、詳細には後ほど図３から図１０を参照した＜電子辞書の動作＞で説明するが、次に述べる第１辞書情報取得手段、第１辞書情報表示制御手段、第２辞書見出し語取得手段、第２見出し語一覧表示制御手段、第２辞書情報取得手段、第２辞書情報表示制御手段、第１見出し語一覧表示制御手段、第１選択手段、及び第２選択手段などを構成する。
【００１７】
具体的には、第１辞書情報取得手段は、キー入力部４０により入力された文字列に対応するメイン辞書（第１辞書）の見出し語の説明情報を取得する。かかる第１辞書情報取得手段は、電子辞書１の本体に内蔵されたメイン辞書から入力文字列に対応する見出し語の説明情報を読み出して取得しても良い。あるいは、第１辞書情報取得手段は、入力された文字列をインターネット上の辞書サーバに送信し、辞書サーバ上のメイン辞書から当該文字列に対応する見出し語の説明情報をダウンロードして取得しても良い。
【００１８】
第１辞書情報表示制御手段は、第１辞書情報取得手段により取得された説明情報を表示画面３０（表示部）の領域３３（第１領域）にプレビュー表示させる。
つまり、第１辞書情報表示制御手段は、ユーザ操作に応じて入力された文字列に対応する第１辞書の見出し語の説明情報を第１辞書情報取得手段から取得して、当該取得された説明情報を表示画面３０（表示部）の領域３３（第１領域）に表示させる。
【００１９】
第２辞書見出し語取得手段は、領域３３（第１領域）に表示された説明情報中の各単語に対応するサブ辞書（第２辞書）の各見出し語を取得する。
第２見出し語一覧表示制御手段は、第２辞書見出し語取得手段により取得された各見出し語を表示画面３０の領域３４（第２領域）に一覧表示させる。
つまり、第２見出し語一覧表示制御手段は、領域３３（第１領域）に表示された説明情報中の各単語に対応する第２辞書の各見出し語を第２辞書見出し語取得手段から取得して、当該取得された各見出し語を表示画面３０（表示部）の領域３４（第２領域）に一覧表示させる。
【００２０】
第２辞書情報取得手段は、第２見出し語一覧表示制御手段で表示画面３０の領域３４（第２領域）に表示された見出し語のうちのいずれかの見出し語が指定見出し語として指定されるとその指定見出し語の説明情報を取得する。
なお、この指定見出し語の指定は、領域３４（第２領域）にはじめて第２辞書の各見出し語が表示されるときは、デフォルトで先頭（領域３４（第２領域）の一番上）の見出し語が指定され、その後、ユーザ操作に応じて指定見出し語を変更することができるようになっている。
そして、第２辞書情報表示制御手段は、第２辞書情報取得手段により取得された説明情報を表示画面３０の領域３５（第３領域）にプレビュー表示させる。
つまり、第２辞書情報表示制御手段は、第２見出し語一覧表示制御手段に表示された第２辞書の見出し語のうちのいずれかの見出し語を指定見出し語として指定し、当該指定見出し語の第２辞書の説明情報を第２辞書情報取得手段から取得して、取得された説明情報を表示画面３０（表示部）の領域３５（第３領域）に表示させる。
【００２１】
第１見出し語一覧表示制御手段は、キー入力部４０により入力された文字列に対応するメイン辞書（第１辞書）の見出し語の候補を表示画面３０の領域３２（第４領域）に一覧表示させる。
第１選択手段は、領域３４に一覧表示された見出し語から指定見出し語を選択する。
第２選択手段は、領域３４に表示された指定見出し語の次の候補を新たな指定見出し語として選択する。
上述した各手段と、電子辞書１における情報表示処理と、の関わりについては後述する。
【００２２】
次いで、メモリ２０は、電子辞書１に内蔵されたＲＯＭ及びＲＡＭを含み、上述した電子辞書１の各種機能を実現するためのプログラムやデータを記憶する。本実施の形態においては、メモリ２０は、本発明に係る情報表示制御プログラム２１、辞書データ２２、メイン言語設定データ２３、及びサブ言語設定データ２４を記憶している。
【００２３】
ここで、情報表示制御プログラム２１は、後述する情報表示処理（図５参照）をＣＰＵ１０に実行させるためのプログラムである。したがって、ＣＰＵ１０、情報表示制御プログラム２１、表示画面３０、及びキー入力部４０が、本発明に係る情報表示制御装置の中核である。
【００２４】
また、辞書データ２２は、例えば英和辞典、和英辞典、英英辞典、国語辞典、百科事典、漢和辞典のような各種別の辞書情報を含む。そして、個々の辞書情報は、見出し語検索データベース、複合語検索データベース、例文検索データベース、及び、成句検索データベースを含んでいる。例えば、見出し語検索データベースには、見出し語と、見出し語に対応する説明テキストと、見出し語の語義ごとの用例テキストとが、対応付けられて格納されている。
【００２５】
メイン言語設定データ２３は、辞書データ２２の各辞書種別（例えば英和、和英、英英、国語、漢和）において主として用いられる辞書（メイン辞書）のデータベースに関する設定情報である。例えば、Ａ英英辞典とＢ英英辞典の２種類の英英辞典が収録されている場合に、ユーザが英英辞典を起動させる操作をした際にＡ英英辞典データベースを起動させるための設定データが、メイン言語設定データ２３である。
【００２６】
また、サブ言語設定データ２４は、特定種別の辞書が起動したときに従たる辞書（サブ辞書）として起動させる辞書データベースに関する設定情報である。例えば、英英辞典が起動したときに、サブ辞書としてＣ英和辞典を起動させるための設定データである（図３参照）。
【００２７】
このようなメモリ２０に記憶される各種プログラム及びデータは、予めメモリ２０に記憶されていてもよいし、例えば、図示しない通信装置を介してインターネット上からダウンロードされてもよい。また、上述した各種プログラム及びデータは、後述する着脱可能な記憶媒体５１からメモリ２０に読み込まれてもよい。
【００２８】
表示画面３０は、上述したとおり、ユーザによる操作に応じて各種データを表示する。つまり、表示画面３０は、ユーザの操作に応じたＣＰＵ１０の制御信号に基づいて、各種情報を表示する。
【００２９】
また、表示画面３０は、上述したようにタッチパネルを含んで構成されている。したがって、表示画面３０上の所定の位置に配置されたアイコンやボタン、テキスト中の文字列がペン３６又はユーザによってタッチされると、表示画面３０は、タッチの位置に応じた信号をＣＰＵ１０に出力する。
【００３０】
キー入力部４０は、上述したキー群を備えており、押下されたキーに対応する信号をＣＰＵ１０に出力する。キー入力部４０のキー群、特に文字「Ａ」〜「Ｚ」キーは、ユーザ操作に応じて、文字列を入力する文字列入力手段の一例である。
【００３１】
記録媒体読取部５０は、着脱可能な記憶媒体５１とのインターフェイスであって、図示しないカードスロットを備えている。当該カードスロットに記憶媒体５１が装着されると、記録媒体読取部５０は、記憶媒体５１から各種情報を読み出したり、記憶媒体５１に情報を記録したりする。なお、記憶媒体５１には、追加の辞書データが格納されてもよい。
【００３２】
＜電子辞書の動作＞
図３から図１０を参照して、電子辞書１の動作を説明する。ここでは、メイン辞書としての英英辞典の検索結果とともに、サブ辞書としての英和辞典の検索結果が併せて表示されるものとして説明を行うが、メイン辞書及びサブ辞書はそれぞれ英英辞典及び英和辞典以外の種別の辞書でもよい。また、本実施形態では、メイン辞書とサブ辞書との両方の検索を行って検索結果を画面に表示することをデュアル検索と称し、デュアル検索の設定を「すぐデュアル設定」と称するものとする。
【００３３】
（画面の遷移）
図３から図９を参照して、電子辞書１の画面がユーザ操作に応じてどのように遷移するかを説明する。図３から図９は、表示画面３０が、ユーザ操作に応じて遷移する様子を示す図である。なお、これら図面及び以下の説明では、英英辞典のメイン辞書として「ロン○○現代英英辞典」が設定され、対応するサブ辞書として「ジー○○英和」辞典が設定されるものとするが、本発明がこのような設定に限られない。
なお、以下の説明において指摘するボタンやキー関係（例えば、「英英」ボタン４９、「決定」ボタン４１、シフトキー４６など）については、図１に示す通りである。
【００３４】
「英英」ボタン４９の押下によって英英辞典データベースが起動し、更に、設定項目から「すぐデュアル設定」を指定すると、図３のようなサブ辞書の設定画面がポップアップで表示される。ここで、「ジー○○英和」を選択して「決定」ボタン４１を押下すると、「ジー○○英和」辞典がサブ辞書として設定される。
【００３５】
サブ辞書が設定されると、図４に示される検索画面が表示される。この検索画面における見出し語検索欄３１に、キー入力部４０に含まれる文字キーを介して、例えば“excellent”と入力して、「決定」ボタン４１を押下する。
【００３６】
そうすると、図５に示されるように、メイン辞書（第１辞書）の検索結果が画面上半分（メイン画面）に、サブ辞書（第２辞書）の検索結果が画面下半分（サブ画面）に、それぞれ表示される。メイン画面は、検索語に対応するメイン辞書の見出し語が一覧表示される領域３２（第４領域）と、領域３２に表示された見出し語のうち何れかの見出し語に対するメイン辞書の説明情報がプレビュー表示される領域３３（第１領域）と、を含む。
【００３７】
例えば図５では、検索語“excellent”に対して、領域３２に見出し語”excellent”, ”except”, ”except”, ”excepted”・・・が一覧表示されるとともに、領域３３に見出し語”excellent”の英英辞典における語義が表示されている。
【００３８】
また、サブ画面は、領域３３に表示された説明情報に含まれる各単語に対応するサブ辞書の見出し語が一覧表示される領域３４（第２領域）と、領域３４に表示された見出し語のうち何れかの指定された見出し語に対するサブ辞書の説明情報が表示される領域３５（第３領域）と、を含む。
【００３９】
例えば図５では、領域３３に見出し語”excellent”の語義として”excellent: 1 extremely good or of very high quality…”と記載されていることに対応して、領域３４にサブ辞書の見出し語”excellent”, “extremely”, “good”, “or”・・・が一覧表示されている。
【００４０】
また、領域３４に表示された見出し語のうち”excellent”が指定されていることに対応して、領域３５に”excellent”の英和辞典における語義がプレビュー表示されている。なお、領域３２及び領域３４では、指定されている見出し語については、指定されていることがわかるように色マーカ付表示が行われる（図５の領域３２の“excellent”及び領域３４の”excellent”参照）。
【００４１】
領域３２に一覧表示されたメイン辞書の見出し語のうち、別の見出し語に対応する説明情報を領域３３にプレビュー表示させるためには、上下のカーソルキー４２，４３を押下すればよい。かかる操作により、例えば図６に示すように、領域３２における見出し語の指定が”excellent”から”except”に替わり、領域３３には見出し語”except”に対応する語義として”except: 1 used to introduce the only person,…”がプレビュー表示される。これとともに、サブ画面における表示が切り替わる。例えば図６では、領域３３における”except”の英語における語義に対応して、領域３４にサブ辞書の見出し語”expect”, “use”, “to”, “introduce”・・・が一覧表示されるとともに、領域３５に、これら見出し語のうち指定された見出し語”expect”の説明情報が表示される。
【００４２】
また、例えば、図６にて領域３３に表示された見出し語”except”の語義”used to introduce the only person, thing,…”において、３番目に登場する英単語”introduce”の日本語での語義を調べるためには、図７のように、シフトキー４６を押下した状態で右カーソルキー４４を３回押下すればよい。そうすると、領域３３で指定された”introduce”が色マーカ付表示になるとともに、領域３４において、サブ辞書の見出し語として“introduce”が自動的に指定され、領域３５に、指定された見出し語“introduce”の説明情報が表示される。
【００４３】
つまり、ユーザ操作により領域３３（第１領域）に表示された説明情報（”used to introduce the only person, thing,…”）中のいずれかの単語（例えば、“introduce”）を指定すると、領域３４（第２領域）に一覧表示された見出し語のうち、当該指定された単語（“introduce”）に対応する見出し語が指定見出し語として指定され、領域３５に、指定された見出し語“introduce”の説明情報が表示される。
なお、領域３４においても“introduce”が指定されたことがわかるように、“introduce”に色マーカ付表示が行われる。
【００４４】
また、上述した見出し語”except”の語義に含まれる”used to”の日本語における語義を調べるためには、まず、図８のように、サブ画面中の領域３４に表示された見出し語”use”をタッチするか、あるいは、シフトキー４６を押下した状態で下カーソルキー４３を押下することで、領域３４中の見出し語”use”を指定する。
【００４５】
つまり、ユーザ操作により領域３４（第２領域）に一覧表示された見出し語のうち、のいずれかの見出し語を指定見出し語として指定（例えば、”use”を指定）すると、表示部の領域３３（第１領域）に表示された説明情報中の領域３４（第２領域）で指定された見出し語（”use”）に対応する単語（”used”）が識別表示（色マーカ付表示）される。
【００４６】
この状態で「前ページ」キー４７又は「次ページ」キー４８を押下すると、図９に示すように、領域３４の見出し語”use”が、次の候補”used to”に変化する。これとともに、領域３５に見出し語”used to”に対応する説明情報がプレビュー表示される。ちなみに、上記の例では、ユーザは、メイン辞書の説明情報の意味内容を考慮して、見出し語”used to”は適当ではなく、元の見出し語”use”が適切であったことを理解する。
【００４７】
このように、本実施形態では、メイン辞書の検索結果にユーザの知らない単語が含まれていても、サブ辞書で該当単語を簡易に調べることが可能である。サブ辞書では、個々の単語だけでなく、成句のような複数の単語を含む文字列を容易に検索することができるので、メイン辞書に含まれる言葉の使い方に応じてサブ辞書の検索手法を柔軟に変更することが可能である。
【００４８】
（情報表示処理の手順）
図１０を参照して、上述した情報表示を実現するための処理の手順を説明する。図１０は、電子辞書１における情報表示処理の手順を示すフローチャートである。
【００４９】
・デュアル検索の設定：Ｓ１〜Ｓ３
まずステップＳ１からＳ３において、デュアル検索の設定が行われる。ステップＳ１では、デュアル検索の設定、特にサブ辞書の選択が済んでいるかどうかが判定される。例えば、メイン辞書である英英辞典に対してサブ辞書が設定されているかどうかが判定される。設定済みの場合にはステップＳ４に進むが、未設定であれば、ステップＳ２に進む。
【００５０】
ステップＳ２では、デュアル検索の設定画面がポップアップ表示されるとともに、デュアル検索の設定が可能な辞書が一覧表示される（図３参照）。そして、ステップＳ３において、ユーザ操作に応じて、何れかの辞書がデュアル検索のサブ辞書として設定される。
【００５１】
・デュアル検索の基本動作：Ｓ４〜Ｓ９
ステップＳ４以降が、デュアル検索の処理手順である。特にステップＳ４からステップＳ９はデュアル検索の基本的な動作を示す。ここでは、英英辞典をメイン辞書とし、英和辞典をサブ辞書とするデュアル検索について説明するが、英英辞典と英和辞典との組合せ以外の組合せによるデュアル検索が行われてもよいことは上述したとおりである。
【００５２】
まずステップＳ４において、英英辞典がメイン辞書として選択されているかどうかが判定される。もし英英辞典がメイン辞書として設定されていなければ、他の処理、例えば通常の辞書検索が行われる。逆に、英英辞典がメイン辞書として設定されていると判定されると、ステップＳ５において、ユーザ操作に応じて、見出し語検索欄３１に検索文字列が入力される（図４参照）。この処理は、文字列入力手段によって実行される。
【００５３】
次いで、ステップＳ６において、入力された検索文字列に対応する見出し語がメイン辞書で検索され、検索結果として、メイン画面の領域３２（第４領域）に見出し語が一覧表示される。そして、ステップ７において、領域３２において指定された見出し語（最初は先頭に表示された見出し語）に対応する説明情報が領域３３（第１領域）にプレビュー表示される（図５参照）。領域３２への見出し語の一覧表示は、第１見出し語一覧表示制御手段によって実行され、領域３３への説明情報のプレビュー表示は、第１辞書情報表示制御手段によって実行される。
【００５４】
次いで、ステップＳ８において、サブ辞書による検索が行われる。具体的には、まず、メイン画面の領域３３にプレビュー表示された説明情報に含まれる単語が先頭から順に抽出される。かかる処理は、第２辞書見出し語取得手段によって実行される。そして、このようにして抽出された各単語に対応するサブ辞書の見出し語が、サブ画面の領域３４（第２領域）に一覧表示される（図５参照）。かかる処理は、第２見出し語一覧表示制御手段によって実行される。
【００５５】
併せて、ステップＳ９において、領域３４に一覧表示された見出し語のうち指定された見出し語（最初の検索では先頭の見出し語）が取得され、取得された見出し語に対する説明情報が、領域３５（第３領域）にプレビュー表示される（図５参照）。かかる処理は、第２辞書情報取得手段及び第２辞書情報表示制御手段によって実行される。
【００５６】
・メイン辞書の見出し語の変更：Ｓ１０〜Ｓ１１
次いで、ステップＳ１０において、上下のカーソルキー４２，４３のいずれかが押下されたかどうかが判定される。上下のカーソルキー４２，４３のいずれかが押下されたと判定されると、ステップＳ１１において、メイン画面中の領域３２に一覧表示された見出し語における指定が、当該見出し語の上又は下に表示された見出し語に変更される。そして、新たに指定されたメイン辞書の見出し語について、ステップＳ７からステップＳ９の処理が再度行われる（図６参照）。かかる処理によって、メイン辞書の見出し語の変更に伴う、メイン辞書の説明情報の変更、及び、サブ辞書の検索結果の変更が実現される。他方、ステップＳ１０において、上下のカーソルキー４２，４３のいずれも押下されなかったと判定されると、処理はステップＳ１２に進む。
【００５７】
・検索文字列の修正：Ｓ１２
ステップＳ１２では、左右のカーソルキー４４，４５のいずれかが押下されるとともに検索文字列の修正入力が行われたかどうかが判定される。修正入力が行われたと判定されると、ステップＳ６に戻って再度メイン辞書及びサブ辞書の検索が行われ、検索結果がメイン画面及びサブ画面に表示される。他方、ステップＳ１２において修正入力が行われなかったと判定されると、処理はステップＳ１３に進む。
【００５８】
・メイン画面の説明情報中の単語指定の変更によるサブ辞書の検索の変更：Ｓ１３〜Ｓ１５
ステップＳ１３では、シフトキー４６が押下された状態で左右のカーソルキー４４，４５のいずれかが押下されたかどうかが判定される。かかる操作が行われなかったと判定されると、ステップＳ１６に移行する。他方、かかる操作が行われたと判定されると、ステップＳ１４において、メイン画面の領域３３にプレビュー表示された説明情報に含まれる単語の指定が変更される（図７参照）。なお、例えば「シフトキー４６＋左右カーソルキー４４，４５」の操作を繰り返すことで、単語の指定を、前又は後の行に登場する単語に移行させることが可能である。
【００５９】
次いで、ステップＳ１５において、サブ画面の領域３４に一覧表示されたサブ辞書の見出し語に対する指定表示（例えば色マーカ付表示や反転表示）が、新たに指定された単語の見出し語に付け替えられる。つまり、領域３４に一覧表示された見出し語から、領域３３において指定された単語の見出し語が選択される。かかる処理は、第１選択手段によって行われる。ステップＳ１５の処理が終了すると、ステップＳ９に戻って、新たに指定された見出し語についてサブ辞書の検索が行われ、検索結果が領域３５に表示される（図７参照）。かかる処理によって、サブ辞書の検索対象の変更に伴う説明情報の変更が実現される。
【００６０】
・サブ辞書の見出し語の指定の変更による説明情報の表示の変更：ステップＳ１６〜Ｓ１７
ステップＳ１６では、領域３４に一覧表示されたサブ辞書の見出し語のいずれかが、ユーザの操作によって指定されたかどうかが判定される。かかるユーザの操作は、ペン（図示せず）や指による見出し語へのタッチでもよいし、あるいは、「シフトキー４６＋下カーソルキー４３」でもよい。このようにしていずれかの見出し語が指定されたと判定されると、ステップＳ１７において、新たに指定された見出し語が色マーカ付表示される（図８参照）。かかる処理は、第１選択手段によって実行される。そして、ステップＳ１７の処理が終了すると、ステップＳ９に戻って、新たに指定された見出し語についてサブ辞書の検索が行われる（図８参照）。かかる処理によって、サブ辞書の検索単語の変更に伴う説明情報の変更が実現される。
【００６１】
・サブ辞書の見出し語に関する次の候補の表示：ステップＳ１８〜Ｓ１９
ステップＳ１６において、領域３４に一覧表示されたサブ辞書の見出し語のいずれもが指定されなかったと判定されると、ステップＳ１８において、「前ページ」キー４７及び「次ページ」キー４８のいずれかが押下されたかどうかが判定される。いずれのキーも押下されなかったと判定されると、他の処理が行われる。一方、上記のいずれかのキーが押下されたと判定されると、ステップＳ１９において、領域３４において指定されている見出し語の次の候補が、新たな見出し語として表示され指定される（図９参照）。かかる次の候補は、例えば、上述したような、”use”に対する”used to”である。そして、かかる処理は、第２選択手段によって実行される。かかる処理により、サブ辞書において、単語だけでなく、その単語に関連する成句や熟語などを検索することが可能となる。
【００６２】
このように、本実施形態によれば、メイン辞書の検索結果にユーザの知らない単語が含まれている場合、別途の辞書検索を行うことなく、サブ辞書にて該当単語を簡便に検索することが可能である。また、サブ辞書では、個々の単語だけでなく当該単語の次の候補についても容易に検索することができるので、メイン辞書の説明情報における言葉の用法に応じてサブ辞書による検索を柔軟に行うことが可能である。
【００６３】
以上、具体的な実施形態に基づいて本発明を説明したが、本発明の技術的範囲は上記実施形態に限定されないことは言うまでもない。具体的な上記実施形態に、多様な変更又は改良を加えることが可能であることは当業者にとって明らかであり、そのような変更又は改良を加えた形態も本発明の技術的範囲に含まれるものであることは、特許請求の範囲の記載から明らかである。
【００６４】
以下に、この出願の願書に最初に添付した特許請求の範囲に記載した発明を付記する。付記に記載した請求項の項番は、この出願の願書に最初に添付した特許請求の範囲の通りである。
【００６５】
［付記］
［請求項１］
ユーザ操作に応じて入力された文字列に対応する第１辞書の見出し語の説明情報を取得して、当該取得された説明情報を表示部の第１領域に表示させる第１辞書情報表示制御手段と、
前記第１領域に表示された説明情報中の各単語に対応する第２辞書の各見出し語を取得して、当該取得された各見出し語を前記表示部の第２領域に一覧表示させる第２辞書見出し語一覧表示制御手段と、
前記第２見出し語一覧表示制御手段に表示された前記第２辞書の見出し語のうちのいずれかの見出し語を指定見出し語として指定し、当該指定見出し語の前記第２辞書の説明情報を取得して、取得された説明情報を前記表示部の第３領域に表示させる第２辞書情報表示制御手段と、
を備える情報表示制御装置。
［請求項２］
ユーザ操作により前記第１領域に表示された説明情報中のいずれかの単語を指定すると、前記第２領域に一覧表示された見出し語のうち、当該指定された単語に対応する見出し語が指定見出し語として指定されることを特徴とする、
請求項１に記載の情報表示制御装置。
［請求項３］
ユーザ操作により前記第２領域に一覧表示された見出し語のうち、のいずれかの見出し語を指定見出し語として指定すると、前記表示部の第１領域に表示された説明情報中の前記見出し語に対応する単語が識別表示されることを特徴とする、
請求項１に記載の情報表示制御装置。
［請求項４］
前記入力された文字列に対応する前記第１辞書の前記見出し語の候補を前記表示部の第４領域に一覧表示させる第１見出し語一覧表示制御手段
を更に備える請求項１に記載の情報表示制御装置。
［請求項５］
コンピュータに対して、
ユーザ操作に応じて入力された文字列に対応する第１辞書の見出し語の説明情報を取得して当該取得された説明情報を表示部の第１領域に表示させる第１辞書情報表示制御機能と、
前記第１領域に表示された説明情報中の各単語に対応する第２辞書の各見出し語を取得して当該取得された各見出し語を前記表示部の第２領域に表示させる第２辞書見出し語一覧表示制御機能と、
前記第２見出し語一覧表示制御機能に表示された前記第２辞書の見出し語のうちのいずれかの見出し語を指定見出し語として指定し、当該指定見出し語の前記第２辞書の説明情報を取得して、当該取得された説明情報を前記表示部の第３領域に表示させる第２辞書情報表示制御機能と、
を実現させるプログラム。
【符号の説明】
【００６６】
１    電子辞書
１０  ＣＰＵ
２０  メモリ
２１  情報表示制御プログラム
２２  辞書データ
２３  メイン言語設定データ
２４  サブ言語設定データ
３０  表示画面
３１  見出し語入力欄
３２〜３５  表示領域
４０  キー入力部
５０  記録媒体読取部
【図１】
0006558168.tif 000002
【図２】
0006558168.tif 000003
【図３】
0006558168.tif 000004
【図４】
0006558168.tif 000005
【図５】
0006558168.tif 000006
【図６】
0006558168.tif 000007
【図７】
0006558168.tif 000008
【図８】
0006558168.tif 000009
【図９】
0006558168.tif 000010
【図１０】
0006558168.tif 000011